(57)【要約】【課題】  ディスクケースの横倒れが発生せず、多数のディスクケースの中から極めて簡単に特定のディスクケースを探し出すことができるディスクケース保管装置を提供する。【解決手段】  ディスクケース保管装置１０は、保持具１３がディスク面を立てた状態で複数の薄型ディスクケース２０を保持するものであり、ディスクケース２０にはフック手段２３が設けられており、保持具１３には、水平に架設され、フック手段２３と係合してディスクケース２０を吊り下げ状態で支持する第一の棒状体１５と、該第一の棒状体１５と平行に架設され、前記吊り下げ状態のディスクケース薄肉側面に当接し、ディスク平面内で第一の棒状体１５を中心軸とするディスクケース２０の回転動作を規制する第二の棒状体１６とが設けられた構成である。【選択図】  図１
2006232302.tif 000002
【特許請求の範囲】
【請求項１】
保持具がディスク面を立てた状態で複数の薄型ディスクケースを保持するディスクケース保管装置であって、
ディスクケースにはフック手段を設け、
保持具には、水平に架設され、前記フック手段と係合してディスクケースを吊り下げ状態で支持する第一の棒状体と、該第一の棒状体と平行に架設され、前記吊り下げ状態のディスクケース薄肉側面に当接し、ディスク平面内で前記第一の棒状体を中心軸とするディスクケースの回転動作を規制する第二の棒状体とを設けたことを特徴とするディスクケース保管装置。
【請求項２】
ディスクケースは矩形であり、前記フック手段はディスクケースの角部に切欠部を設けることによって形成したことを特徴とする請求項１記載のディスクケース保管装置。
【請求項３】
前記切欠部によって形成される鉤状部は、ディスクケースの矩形角部が切除された傾斜面を有することを特徴とする請求項２記載のディスクケース保管装置。
【請求項４】
前記切欠部の下部には、ディスクケース薄肉側面から略垂直に形成された案内壁を有することを特徴とする請求項２又は３に記載のディスクケース保管装置。
【請求項５】
前記切欠部によって形成される前記第一の棒状体の導入経路の途中に、導入経路内側に向かって突出した弾性突起が設けられることを特徴とする請求項２、３又は４に記載のディスクケース保管装置。
【請求項６】
ディスクケースは、ディスクを収納する収納体と、収納体の一辺に対して回動可能に連結された開扉式の蓋とを備えており、
前記フック手段は収納体と蓋の連結辺に対向する辺に設けられることを特徴とする請求項２、３、４又は５に記載のディスクケース保管装置。
【請求項７】
前記第二の棒状体は、前記開扉式の蓋の開扉部分であって前記収納体と蓋の連結辺に対向する辺に当接してディスクケースの回転動作を規制することを特徴とする請求項６記載のディスクケース保管装置。
【発明の詳細な説明】
【技術分野】
【０００１】
本発明は、ＣＤやＤＶＤ等のディスクを収納したディスクケースを貸出店等の店舗において保管するためのディスクケース保管装置に関するものである。
【背景技術】
【０００２】
ＣＤやＤＶＤ等の貸出店においては、貸出品となる多数のディスクをそれぞれディスクケースに格納した状態で、受付カウンタの奥等に設置された保管棚等に保管しておき、店舗内の陳列棚にはディスクを収納していないダミーケースを陳列しておくことがよく行われている。このような店舗では、ディスクの貸出希望者が陳列棚から取り出したダミーケースを受付カウンタに持参し、店員が保管棚等に保管された多数のディスクの中から貸出対象のディスクを探し出し、ダミーケースと引き換えにディスクを貸出希望者に貸与することが行われている。
【０００３】
従来、上記の貸出店においては、陳列棚に配置されるダミーケースとディスク収納棚に収納されるディスクとが一対一で対応するように、ダミーケース及びディスクケースの双方に同一の識別番号を付した識別ラベルが貼付されており、店員は該識別ラベルに付された識別番号を頼りにしてダミーケースに対応したディスクを探し出している。
【発明の開示】
【発明が解決しようとする課題】
【０００４】
ところで、従来は、保管棚に対して多数のディスクケースを立てた状態で載置して保管していたため、店員が識別ラベルを確認する際には、保管棚に形成されるディスク配列の中から一枚のディスクケースを抜き出してラベル確認を行い、識別番号が一致しない場合には抜き出したディスクケースを再びディスク配列の中に戻すという作業を繰り返さなければならず、識別ラベルの確認作業を効率的に行うことができないという問題があった。
【０００５】
また、ディスクケースの識別ラベルを確認する場合には、確認しようとするディスクケースとそれに隣接するディスクケースの配置間隔が拡げられることによって複数のディスクケースが連鎖的に横倒れしてしまい、ディスクケースの配列状態が悪化して、識別ラベル確認作業の効率を更に低下させることになっていた。
【０００６】
本発明は、上記従来の問題点を解決することを目的としてなされたものであり、ディスクケースの横倒れが発生せず、極めて簡単に特定のディスクケースを探し出すことができるディスクケース保管装置を提供するものである。
【課題を解決するための手段】
【０００７】
上記目的を達成するため、本発明が解決手段として採用したところは、保持具がディスク面を立てた状態で複数の薄型ディスクケースを保持するディスクケース保管装置であって、ディスクケースにはフック手段を設け、保持具には、水平に架設され、前記フック手段と係合してディスクケースを吊り下げ状態で支持する第一の棒状体と、該第一の棒状体と平行に架設され、前記吊り下げ状態のディスクケース薄肉側面に当接し、ディスク平面内で前記第一の棒状体を中心軸とするディスクケースの回転動作を規制する第二の棒状体とを設けた点にある。第一の棒状体がディスクケースを吊り下げ状に支持することで、ディスクケースの横倒れを防止し、第二の棒状体がディスク平面内で第一の棒状体を中心軸とするディスクケースの回転動作を規制することで、特定のディスクケースを探し出す際にディスクケースが揺動して作業効率が低下することを防止する。
【０００８】
また、上記のディスクケース保管装置においては、ディスクケースが矩形として形成されており、前記フック手段が矩形ディスクケースの角部に切欠部を設けて形成されることが好ましい。矩形型ディスクケースの角部にフック手段を形成することにより、ディスクケースの外形サイズを大きくすることなく、ディスクケース保管装置に適したディスクケースが実現される。
【０００９】
また、前記切欠部によって形成される鉤状部には、ディスクケースの矩形角部が切除された傾斜面を設けることが好ましい。これにより、保持具からディスクケースを取り出す際、上段の保持具に吊り下げられたディスクケースと干渉する可能性が低くなると共に、ダミーケースに収容する際の案内手段が構成される。
【００１０】
また、前記切欠部の下部には、ディスクケース薄肉側面から略垂直に形成された案内壁を設けることが好ましい。これにより、ディスクケースを保持具から取り出す際、ディスクケースが必要以上に上方向に持ち上げられることを防止する手段が構成される。
【００１１】
また、前記切欠部によって形成される前記第一の棒状体の導入経路の途中には、導入経路内側に向かって突出した弾性突起を設けることが好ましい。これにより、前記フック手段と係合した第一の棒状体の抜けを防止するストッパが構成される。
【００１２】
また、上記のディスクケース保管装置においては、ディスクケースが、ディスクを収納する収納体と、収納体の一辺に対して回動可能に連結された開扉式の蓋とを備えており、前記フック手段が、収納体と蓋の連結辺に対向する辺（開扉式の蓋が開扉する部分）に設けられることが好ましい。これにより、蓋の開扉部分がフック手段によって支持されることになり、特定のディスクケースを探し出す際に蓋が開く可能性を低減する。
【００１３】
また、上記のディスクケース保管装置においては、前記第二の棒状体が、前記開扉式の蓋の開扉部分であって前記収納体と蓋の連結辺に対向する辺に当接してディスクケースの回転動作を規制することが好ましい。これにより、保持具は、従来の保管棚等に比べると１段当たりの高さ寸法が小さく抑えられ、保持具を多段配置する場合に、より多くの保持具を密に配置できるようになる。
【発明の効果】
【００１４】
本発明に係るディスクケース保管装置によれば、ディスクケースに設けられたフック手段が、保持具に水平架設される第一の棒状体と係合してディスクケースを吊り下げ状に支持すると共に、保持具に設けられる第二の棒状体が吊り下げ状態のディスクケース薄肉側面に当接してディスク平面内でのディスクケースの回転動作を規制するので、特定のディスクケースを探し出す際に、ディスクケースの横倒れが発生せず、またディスク平面内での第一の棒状体を中心とする揺動動作が防止される。したがって、効率的に特定のディスクケースを探し出すことができるようになる。
【００１５】
また、フック手段を矩形ディスクケースの角部に切欠部を設けて形成すれば、矩形ディスクケースの外形サイズが大きくならないので、ディスクケース保管装置に、より多くのディスクケースを保管できるようになる。
【００１６】
また、切欠部によって形成される鉤状部に、ディスクケースの矩形角部が切除された傾斜面を設ければ、保持具からディスクケースを取り出す際の上段側のディスクケースと干渉する可能性が低くなるので、ディスクケース保管装置において保持具の多段配置に適した構造となる。また、ディスクケースをダミーケースに収容する際の収容操作が容易になる。
【００１７】
また、切欠部の下部に、ディスクケース薄肉側面から略垂直に形成された案内壁を設ければ、上記と同様、保持具からディスクケースを取り出す際の上段側のディスクケースと干渉する可能性が低くなるので、ディスクケース保管装置において保持具の多段配置に適した構造となる。
【００１８】
また、切欠部によって形成される第一の棒状体の導入経路の途中に、導入経路内側に向かって突出した弾性突起を設ければ、ディスクケースが吊り下げ状に支持されているとき、弾性突起が第一の棒状体の抜けを防止し、保持具からのディスクケースの脱落が防止できる。
【００１９】
また、フック手段を、ディスクケースの収納体と蓋の連結辺に対向する辺（開扉式の蓋が開扉する部分）に設けて形成すれば、蓋の開扉部分がフック手段によって支持されることになり、特定のディスクケースを探し出す際に蓋が開いてディスクを破損する可能性を低減できるようになる。
【００２０】
また、第二の棒状体が、開扉式の蓋の開扉部分であって収納体と蓋の連結辺に対向する辺に当接するように形成すれば、より多くの保持具を多段配置できるようになり、狭小スペースで多数のディスクケースを保管するのに適した構造となる。
【発明を実施するための最良の形態】
【００２１】
（ディスクケース保管装置）
以下図面に基づいて本発明の好ましい実施形態を詳述する。図１は、本実施形態におけるディスクケース保管装置１０の一例を示す図である。尚、図１に示すＸＹＺ三次元座標系は、後に参照する他の図面の三次元座標系と共通するものである。
【００２２】
ディスケース保管装置１０は、床面に設置される基台１１と、基台１１から鉛直に延びる２本の支柱１２と、２本の支柱１２に架設される少なくとも１つの保持具１３と、保持具１３によってディスク面を立てて吊り下げ状に支持される薄型のディスクケース２０を備えて構成される。２本の支柱１２の正面には鉛直方向に沿って複数の孔１９がほぼ等間隔に設けられ、保持具１３の裏面（支柱１２と対向する面）に設けられる突起体（不図示）が支柱１２の任意の孔１９と係合することにより、保持具１３が支柱１２の正面に対して着脱可能に支持される。
【００２３】
保持具１３は、２本の支柱１２に連結される側板１４と、２つの側板１４の間に水平に架設される少なくとも２本の棒状体１５，１６とによって構成される。棒状体１５，１６は異なる高さ位置に設けられ、後述するように、上側に位置する第一の棒状体１５はディスクケース２０を吊り下げ状態で支持する支持手段であり、下側に位置する第二の棒状体１６はその吊り下げ状態の薄型ディスクケース２０の周縁である薄肉側面に当接し、ディスク平面内（ＹＺ平面内）で前記棒状体１５を中心軸とするディスクケース２０の回転動作を規制する規制手段である。本実施形態では、ディスクケース２０を吊り下げ状態に支持する支持手段として、水平に架設された棒状体１５を用いることにより、保持具１３に対して水平方向に、複数のディスクケース２０を高密度で配置できるようにしている。また保持具１３がディスクケース２０を吊り下げ状に保持することにより、ディスクケース２０は保持具１３によって保持された状態で安定し、ディスクケース２０の横倒れ等が生じない構成とされている。
【００２４】
ディスクケース２０は例えば図２に示す構成を有している。即ち、図２（ａ）に示す如く、ディスクケース２０は、外形が矩形に形成されたケース本体２１と、ケース本体２１の表面片隅に貼付される識別ラベル２２と、ケース本体２１に設けられるフック手段２３を備えて構成され、その内部にＣＤやＤＶＤ等のディスク９を格納する。そしてフック手段２３が前記支持手段として設けられた棒状体１５と係合することにより、ディスクケース２０がディスク面を垂直に立てた吊り下げ状態となって保持される。ディスク９はその外形が円形であるのに対し、ディスクケース２０は矩形であることから、ディスク９を収納した場合であっても、ディスクケース２０の４つの角部（四隅）はディスク９が存在しない部分となる。そのため、本実施形態ではフック手段２３を、ディスクケース２０の一の角部に設ける切欠部２４と、その切欠部２４を設けることによって形成される鉤状部２５とによって構成し、ディスクケース２０の外形サイズが、従来の矩形薄型ディスクケースよりも大きくならないように形成されている。尚、切欠部２４は棒状体１５を鉤状部２５の下部に導入する際の導入経路を形成する。
【００２５】
またディスクケース２０のケース本体２１は、図２（ｂ）に示す如く、ディスク９を収納した状態で固定する収納体２１ｂと、その収納体２１ｂの一辺に対して連結され、該連結辺を回転中心として回動可能に設けられた開扉式の蓋２１ａとを備えており、該蓋２１ａを収納体２１ｂに重ね合わせて閉蓋することにより、ディスクケース２０に収納したディスク９を保護する構造となっている。そしてフック手段２３は収納体２１ｂと蓋２１ａとの連結辺に対向する辺（即ち、図２（ｂ）の如く、蓋２１ａを開扉状態とした時の左右両端の辺となる開扉部分）に設けられる。
【００２６】
図３は保持具１３がディスクケース２０を保持した状態を示す図である。上述の構成を備えたディスケース保管装置１０において、ディスクケース２０を保持具１３に吊り下げる際の手順は次の通りである。図３（ａ）に示す如く、ディスクケース２０にディスク９を収めて閉蓋し、ディスク面を立てた状態にしてディスクケース２０の切欠部２４から棒状体１５を導入し、鉤状部２５を棒状体１５に係止させることによってディスクケース２０を吊り下げ状態とし、切欠部２４の形成されたディスクケース２０の薄肉側面を棒状体１６に当接させることによって、ディスク平面内（ＹＺ平面内）で棒状体１５（支持手段）を中心としたディスクケース２０の回転動作を規制する。
【００２７】
通常、鉤状部２５が棒状体１５と係止してディスクケース２０が吊り下げ状態になるだけであれば、ディスクケース２０が振り子状に揺動し、識別ラベル２２の確認作業時にはその揺動動作が作業の効率性を低下させる。本実施形態においては、棒状体１６が前記の揺動動作を規制する規制手段として設けられているので、ディスクケース２０がディスク面内において振り子状に揺動することはなく、識別ラベル２２の確認作業を効率的に行うことができる。
【００２８】
図３（ｂ）は図３（ａ）のＡ−Ａ断面を示す図である。上述の保持具１３によって吊り下げ状態で保持されるディスクケース２０は、ＸＹ平面において棒状体１５若しくは１６との接点を支点として図３（ｂ）に示す第一の揺動位置Ｐ１と第二の揺動位置Ｐ２との間で容易に首振り操作をできるものである。したがって、識別ラベル２２の確認作業時には、保持具１３から前方側に突き出たディスクケース２０の端部を掴んで左右方向に首振り操作を行うことにより、正面側からディスクケース表面に貼付された識別ラベル２２を視認でき、容易に特定のディスクケースを探し出すことができる。このとき、ディスクケース２０が横倒れすることもない。
【００２９】
また、フック手段２３は上述の如くディスクケース２０の蓋２３が開扉する部分に設けられているので、保持具１３がディスクケース２０を吊り下げ状態で保持している時には、蓋２３の開扉部分は棒状体１６に接している。そのため、識別ラベル２２の確認作業時に上述の首振り操作を行ったとしても、ディスクケース２０の蓋２３が開扉することはなく、ディスク９の落下や破損等を防止できるものとなっている。
【００３０】
また図３（ａ）に示す例では、棒状体１６が、ディスクケース２０の４つの薄肉側面のうち、保持具１３に吊り下げ保持された状態において作業者からみて奥端となる側面に当接している。言い換えれば、開扉式の蓋２１ａの開扉部分であって収納体２１ｂと蓋２１ａの連結辺に対向する辺（切欠部２４の形成された薄肉側面）と当接する位置に、棒状体１６が設けられているため、吊り下げ状に保持されたディスクケース２０の上下に、ディスクケース２０を支持するための構造物を配置する必要がない。そのため、保持具１３は、従来の保管棚等に比べると１段当たりの高さ寸法が小さく抑えられ、支柱１２に対して複数の保持具１３を多段配置する場合に、より多くの保持具１３を密に配置することができ、従来よりも高密度収納が可能なディスケース保管装置を実現できる。
【００３１】
（保持具の別態様１）
次に、図４は保持具１３の別の態様を示す図である。尚、図４では、保持具１３がディスクケース２０を保持した状態を示している。図４においては吊り下げ状態となるディスクケース２０の４つの薄肉側面のうち、下面が棒状体１６と当接するように構成されている。この場合であっても、鉤状部２５を棒状体１５に係止させることによってディスクケース２０を吊り下げ状態とし、ディスクケース２０の下面側薄肉側面を棒状体１６に当接させることによって、ディスク平面内（ＹＺ平面内）で棒状体１５（支持手段）を中心としたディスクケース２０の回転動作を規制できる。それ故、ディスクケース２０がディスク面内において振り子状に揺動することはなく、識別ラベル２２の確認作業を効率的に行うことができるものである。
【００３２】
（保持具の別態様２）
次に、図５は保持具１３の更に別の態様を示す図であり、図５でも保持具１３がディスクケース２０を保持した状態を示している。図５においては吊り下げ状態となるディスクケース２０の４つの薄肉側面のうち、下面を２本の棒状体１６（１６ａ，１６ｂ）に載置するように構成されている。この場合、鉤状部２５が棒状体１５に係止することによってディスクケース２０の横倒れが防止される。
【００３３】
（保持具の別態様３）
次に、図６は保持具１３の更なる別態様を示す図であり、図６でも保持具１３がディスクケース２０を保持した状態を示している。図６に示す如く、棒状体１５が矩形のディスクケース２０を吊り下げ状に支持し、棒状体１６がディスクケース２０を若干傾斜させた状態で１つの薄肉側面に当接してディスクケース２０の揺動を防止している。
【００３４】
（ディスクケースの別態様１）
次に、図７はディスクケース２０の別の態様を示す図であり、図７でも保持具１３がディスクケース２０を保持した状態を示している。但し、図７においてはディスクケース２０の保持具１３として図３と同態様のものを図示しているが、図４、図５、図６に示した別態様の保持具１３を採用してもよい。
【００３５】
これまでの各図においては、ディスクケース２０に設けられるフック手段２３がディスクケース２０に形成される切欠部２４と鉤状部２５で構成される場合を例示したが、図７の例では、ディスクケース２０の一角に対して外付けでフック手段２３が取り付けられる。即ち、このフック手段２３は、棒状体１５を係止する鉤状部２７と、ディスクケース２０に連結される連結部２８とを備えており、連結部２８においてディスクケース２０と連結されることにより、該フック手段２３はディスクケース２０から突出した構造となる。図７の例によると、既存の矩形型ディスクケースに対してフック手段２３を取り付けるだけで、ディスクケース保管装置１０での保管に適したディスクケースとなるが、フック手段２３を含めたディスクケース２０の外形が既存の矩形型ディスクケースよりも大きくなることから、保管スペースもそれに応じて若干大きくしなければならない。よって、ディスクケース２０の保管効率を上げるためには図２等に示した態様若しくは次に述べる態様を採用することが好ましい。
【００３６】
（ディスクケースの別態様２）
図８はディスクケース２０の更に別の態様を示す図であり、（ａ）はディスクケース２０の全体平面図、（ｂ）はフック手段２３を拡大した図である。この態様では、図２の場合と同様に、矩形薄型ディスクケース２０の一の角部にフック手段２３が設けられており、該フック手段２３は、開扉式の蓋の開扉部分となるディスクケース薄肉側面から形成される切欠部２４と、該切欠部２４を設けることによって形成される鉤状部２５とを備えている。
【００３７】
そして図８（ｂ）に示す如く、鉤状部２５の上部には、ディスクケースの矩形角部を切除して形成される傾斜面２５ａが設けられる。言い換えると、図８の例では、フック手段２３に傾斜面２５ａを設けることにより、矩形ディスクケース２０の一角が切り落とされた形態として実現されている。尚、図において傾斜面２５ａは一定の傾斜角で平面視直線状に形成した場合を例示しているが、例えば鉤状部２５の先端に向かうに従って漸次傾斜角度が大きくなるようにして平面視曲線状に形成してもよい。
【００３８】
またフック手段２３の切欠部２４によって形成される棒状体１５の導入経路の途中には、導入経路内側に向かって突出した弾性突起２４ａが設けられる。弾性突起２４ａが設けられた導入経路の幅は、棒状体１５の外形よりも若干小さくなるように設計されており、弾性突起２４ａは棒状体１５の抜けを防止するストッパとして機能する。例えば、ディスクケース２０を操作して棒状体１５を切欠部２４による導入経路に沿って移動させると、棒状体１５が導入経路の途中で弾性突起２４ａと接触する。そしてディスクケース２０を更に操作すれば、棒状体１５が弾性突起２４ａを導入経路外側に押し込み、弾性突起２４ａの設けられた部分を通過する。その一方、例えばディスクケース２０が吊り下げ状に支持されているとき、ディスクケース２０に対して何らかの瞬間的衝撃が与えられ、ディスクケース２０が上方に跳ね上げられたとしても弾性突起２４ａが棒状体１５の抜けを防止し、保持具１３からディスクケース２０の脱落が防がれる。
【００３９】
また切欠部２４によって形成される導入経路は、導入口付近でディスクケース２０の薄肉側面に対して略垂直に形成された水平方向導入経路となっており、その水平方向導入経路の奥はディスク９の外周縁に沿って形成された周方向導入経路となっている。即ち、切欠部２４による導入経路は、その途中で棒状体１５を導入する方向を変化させるものである。そして水平方向導入経路を構成する導入口付近での切欠部２４の下部には、ディスクケース２０の薄肉側面から略垂直に形成された案内壁２４ｂが設けられる。
【００４０】
図９は、図８のディスクケース２０を用いてディスクケース保管装置１０を構成した概略側面図である。但し、図９においてはディスクケース２０の保持具１３として図３と同態様のものを図示しているが、図４、図５、図６に示した別態様の保持具１３を採用してもよい。図９に示す如く、ディスクケース保管装置１０において保持具１３が多段構成（図９の例では１３ａ，１３ｂの２段構成）されている場合において、下段の保持具１３ｂに吊り下げられたディスクケース２０ｂを取り出す際、まず矢印Ｆ１に示す如くディスクケース２０ｂの奥端を持ち上げ、鉤状部２５と棒状体１５との係止状態を解除する。そして矢印Ｆ２に示す如く、前方側に引き出すことによりディスクケース２０ｂを保持具１３ｂから取り出すことができる。このような取り出し操作を行う際、図８のディスクケース２０は鉤状部２５の上部が矩形角部を切除された傾斜面２５ａとして形成されているので、ディスクケース２０の奥端を持ち上げた際に、ディスクケースの角部が上段のディスクケース２０ａに接触する可能性は低くなる。それ故、上段の保持具１３ａと下段の保持具１３ｂとの配置間隔を小さくして高密度な多段配置構成とすることができる。
【００４１】
また、図９に矢印Ｆ１で示す方向にディスクケース２０ｂを持ち上げると、棒状体１５は切欠部２４によって形成される導入経路に沿って抜け方向に移動するが、ディスクケース２０ｂの切欠部１４には上述の案内壁２４ｂが形成されているため、ディスクケース２０ｂを矢印Ｆ１方向に操作すれば、棒状体１５は必然的に案内壁２４ｂに当接し、ディスクケース２０ｂの上方向への移動を規制する。即ち、上述の案内壁２４ｂは、ディスクケース２０を保持具１３から取り出す際に、ディスクケース２０が必要以上に上方向に持ち上げられることを防止する手段として機能するのである。そのため、下段のディスクケース２０ｂを取り出すためにディスクケース２０ｂを矢印Ｆ１方向に持ち上げる操作を行っても、Ｆ１方向への操作は棒状体１５が案内壁２４ｂに当接することによって規制され、ディスクケース２０ｂの取り出し時に、上段のディスクケース２０ａと接触する可能性は低くなる。それ故これによっても、上段の保持具１３ａと下段の保持具１３ｂとの配置間隔を小さくして高密度な多段配置構成とすることができる。
【００４２】
また、上記のようにして下段のディスクケース２０ｂを取り出す際、万一、上段のディスクケース２０ａに接触してしまった場合でも、切欠部２４によって形成される導入経路の途中には、上述の如く弾性突起２４ａが設けられているので、上段のディスクケース２０ａが保持具１３から脱落する可能性は極めて低くなっている。
【００４３】
更に図８に示したディスクケース２０は、ダミーケース３０に収容する際、その収容操作を容易ならしめる機能を併せ持っている。図１０は、それを説明する図であり、図８のディスクケース２０をダミーケース３０に収容する状態を示す概略図である。ダミーケース３０は、その内部にディスクケース２０を収容する収容空間３２が形成され、例えばダミーケース上端に形成される開口部３１からディスクケース２０を収容するように構成されている。図８のディスクケース２０は、鉤状部２５の上部が矩形角部を切除された傾斜面２５ａとして形成されているので、ダミーケース３０に収容する際、図１０の如くダミーケース３０の開口部３１に対してディスクケース２０を傾斜させた状態で収容することができる。即ち、ディスクケース３０の鉤状部２５が形成された薄肉側面をダミーケース３０に収容する際の挿入先端部とすると、ディスクケース２０の鉤状部２５が傾斜面２５ａを有するので、ディスクケース２０を傾斜させてダミーケース３０に収容する際、ディスクケース３０の一角が開口部３１と接触して収容操作を阻害することはない。また、ディスクケース２０を収容する際、ディスクケース２０の挿入先端部が開口部３１から若干横方向にずれていたとしても、傾斜面２５ａがディスクケース２０を収容空間３２に導く案内手段として機能し、スムーズにディスクケース２０を収容空間３０に収容できる。したがって、図８に示すディスクケース２０の鉤状部２５に形成された傾斜面２５ａは、ディスクケース２０をダミーケース３０に収容する際の収容操作を容易ならしめる効果をも奏するものである。
【図面の簡単な説明】
【００４４】
【図１】ディスクケース保管装置の一例を示す図である。
【図２】ディスクケースの一構成例を示す図である。
【図３】保持具がディスクケースを保持した状態を示す図である。
【図４】図３とは異なる保持状態を示す図である。
【図５】図３、図４とは異なる保持状態を示す図である。
【図６】図３乃至図５とは異なる保持状態を示す図である。
【図７】図２とは異なるディスクケースの態様を示す図である。
【図８】ディスクケースの更に別の態様を示す図である。
【図９】図８のディスクケースを用いてディスクケース保管装置を構成した概略側面図である。
【図１０】図８のディスクケースをダミーケースに収容する状態を示す概略図である。
【符号の説明】
【００４５】
９  ディスク
１０  ディスクケース保管装置
１３  保持具
１５  第一の棒状体（支持手段）
１６  第二の棒状体（規制手段）
２０  ディスクケース
２１ａ  蓋
２１ｂ  収納体
２２  識別ラベル
２３  フック手段
２４  切欠部
２４ａ  弾性突起
２４ｂ  案内壁
２５  鉤状部
２５ａ  傾斜面
【図１】
2006232302.tif 000003
【図２】
2006232302.tif 000004
【図３】
2006232302.tif 000005
【図４】
2006232302.tif 000006
【図５】
2006232302.tif 000007
【図６】
2006232302.tif 000008
【図７】
2006232302.tif 000009
【図８】
2006232302.tif 000010
【図９】
2006232302.tif 000011
【図１０】
2006232302.tif 000012